(57)【要約】【課題】塵埃が、液晶表示パネルとこの液晶表示パネルを載置するフレームとの間を通して、液晶表示パネルの背面に浸入してしまうのを回避させた液晶表示装置の提供。【解決手段】液晶表示パネルとこの液晶表示パネルを載置させるフレームを備える液晶表示装置であって、  前記液晶表示パネルは、その表示領域の外側に前記表示領域を囲むようにして固着された第１ゴムクッションを備え、  前記フレームは、このフレームに載置された前記液晶表示パネルの表示領域を囲むようにして固着された第２ゴムクッションを備え、  前記液晶表示パネルは、前記第１ゴムクッションおよび前記第２ゴムクッションを介して前記フレームに載置されるとともに、  前記第１ゴムクッションと前記第２ゴムクッションは、平面的に観て、重なることなく隣接して配置されている。【選択図】図１
2011033909.tif 000002
【特許請求の範囲】
【請求項１】
液晶表示パネルと前記液晶表示パネルを載置させるフレームを備える液晶表示装置であって、
前記液晶表示パネルは、表示領域の外側に前記表示領域を囲むようにして固着された第１ゴムクッションを備え、
前記フレームは、前記フレームに載置された前記液晶表示パネルの前記表示領域を囲むようにして固着された第２ゴムクッションを備え、
前記液晶表示パネルは、前記第１ゴムクッションおよび前記第２ゴムクッションを介して前記フレームに載置されるとともに、
前記第１ゴムクッションと前記第２ゴムクッションは、平面的に観て、重なることなく隣接して配置されていることを特徴とする液晶表示装置。
【請求項２】
バックライトを配置させる下フレームと、前記バックライトと前記液晶表示パネルとの間に配置される中フレームと、前記液晶表示パネルの前記表示領域を露出させて配置される上フレームとを備え、
前記液晶表示パネルを載置させる前記フレームは前記中フレームとなっていることを特徴する請求項１に記載の液晶表示装置。
【請求項３】
前記第１ゴムクッションおよび前記第２ゴムクッションは、それぞれ、複数の直線状のゴムクッションを前記液晶表示パネルの前記表示領域の周方向に並設させて構成されていることを特徴とする請求項１に記載の液晶表示装置。
【請求項４】
前記第１ゴムクッションおよび前記第２ゴムクッションは、それぞれ、シリコンゴムで構成されていることを特徴とする請求項１ないし３のいずれかに記載の液晶表示装置。
【請求項５】
液晶表示パネルと前記液晶表示パネルを載置させるフレームを備える液晶表示装置であって、
前記液晶表示パネルは、表示領域の外側に前記表示領域を囲むようにして固着された第１クッションを備え、
前記フレームは、前記フレームに載置された前記液晶表示パネルの前記表示領域を囲むようにして固着された第２クッションを備え、
前記液晶表示パネルは、前記第１クッションおよび前記第２クッションを介して前記フレームに載置されるとともに、
前記第１クッションと前記第２クッションは、一方のクッションが他方のクッションよりも柔らかい部材で構成され、
前記第１クッションと前記第２クッションは、平面的に観て、一部重畳して配置されていることを特徴とする液晶表示装置。
【請求項６】
バックライトを配置させる下フレームと、前記バックライトと前記液晶表示パネルとの間に配置される中フレームと、前記液晶表示パネルの前記表示領域を露出させて配置される上フレームとを備え、
前記液晶表示パネルを載置させる前記フレームは前記中フレームとなっていることを特徴する請求項５に記載の液晶表示装置。
【請求項７】
前記第１クッションおよび前記第２クッションは、それぞれ、複数の直線状のクッションを前記液晶表示パネルの前記表示領域の周方向に並設させて構成されていることを特徴とする請求項５に記載の液晶表示装置。
【請求項８】
前記第１クッションおよび前記第２クッションは、その一方がシリコンゴムで構成され、他方がスポンジで構成されていることを特徴とする請求項５ないし７のいずれかに記載の液晶表示装置。
【請求項９】
前記一方のクッションの幅は前記他方のクッションの幅よりも大きく、
平面的に見て、前記他方のクッションの全域が前記一方のクッションと重畳して配置されていることを特徴とする請求項５ないし８のいずれかに記載の液晶表示装置。
【発明の詳細な説明】
【技術分野】
【０００１】
本発明は液晶表示装置に係り、特に、液晶表示パネルを載置するフレームを備える液晶表示装置に関する。
【背景技術】
【０００２】
液晶表示パネルは、液晶を挟持する一対の対向配置されたガラス基板を外囲器として構成され、極めて破損され易くなっている。このため、液晶表示装置は、液晶表示パネルを外的傷害から保護するフレームとともに構成されるのが通常となっている。
【０００３】
また、液晶表示パネルは、画素の光透過率を制御するように構成されるため、背面にバックライトを備えるのが通常となり、前記フレームは、液晶表示パネルとバックライト等をモジュール化するために構成される。
【０００４】
このことから、液晶表示装置におけるフレームは、バックライトを配置させる下フレームと、バックライトと液晶表示パネルとの間に配置される中フレームと、表示領域を露出させて液晶表示パネルを被う上フレームとからなり、これら下フレーム、中フレーム、上フレームは、バックライトおよび液晶表示パネルを収納した後は互いに係止されるようになっている。このような構成からなる液晶表示装置は、たとえば下記特許文献１に開示がなされている。
【０００５】
そして、特許文献１に開示される液晶表示装置は、概略的に描いた図８に示すように、液晶表示パネルＰＮＬが、中フレームＭＦＲに固定されたゴムクッションＧＣを介して、前記中フレームＭＦＲに載置されるように構成されている。この場合、ゴムクッションＧＣは、液晶表示パネルＰＮＬの周辺に沿い、表示領域ＡＲをほぼ囲むようにして配置されている。このため、特許文献１には、ゴムクッションＧＣによって、液晶表示パネルＰＮＬとこの液晶表示パネルＰＮＬを載置する中フレームＭＦＲとの間を通して、塵埃（塵埃）が、液晶表示パネルＰＮＬの背面に浸入するのを阻止できる旨の記載がある。
【０００６】
なお、図８は、本発明の実施例を示す図１に対応させて描いた図となっており、上述した構成以外の詳細な構成については図１における説明を参照されたい。
【先行技術文献】
【特許文献】
【０００７】
【特許文献１】特開２００８−１９１６０７号公報
【発明の概要】
【発明が解決しようとする課題】
【０００８】
しかし、図８に示した構成において、液晶表示パネルＰＮＬは、中フレームＭＦＲと上フレームＵＦＲとの間で挟み込まれているにすぎず、中フレームＭＦＲに対して機械的な固定を回避させた状態で載置させている。この理由は次の通りである。液晶表示パネルＰＮＬは、液晶を挟持した一対のガラス基板ＳＵＢ１、ＳＵＢ２のそれぞれの面に偏光板ＰＯＬ１、ＰＯＬ２が貼り付けられているため初期的な反りが存在している。このため、たとえばバックライトＢＬ等の熱によってさらに大きな反りが発生してしまう。この場合、仮に、液晶表示パネルＰＮＬを中フレームＭＦＲによって機械的に固定させた場合、反りによって液晶表示パネルＰＮＬにストレスが発生するようになる。そして、液晶表示パネルＰＮＬにたとえば黒表示がなされている場合、上記ストレスによって黒輝度が上昇してしまう現象が観られる不都合が生じる。
【０００９】
このため、液晶表示パネルＰＮＬがたとえ中フレームＭＦＲのゴムクッションＧＣ上に載置された構成となっていても、液晶表示パネルＰＮＬとゴムクッションＧＣとの間に隙間ができ易くなり、図８中矢印で示すように、前記隙間を通して、塵埃が液晶表示パネＰＮＬの背面に侵入するようになることが免れなくなる。
【００１０】
本発明の目的は、塵埃（異物）が、液晶表示パネルとこの液晶表示パネルを載置するフレームとの間を通して、液晶表示パネルの背面に浸入してしまうのを信頼性よく防止できる液晶表示装置を提供することにある。
【課題を解決するための手段】
【００１１】
本発明の構成は、たとえば、以下のようなものとすることができる。
【００１２】
（１）本発明の液晶表示装置は、液晶表示パネルとこの液晶表示パネルを載置させるフレームを備える液晶表示装置であって、
前記液晶表示パネルは、その表示領域の外側に前記表示領域を囲むようにして固着された第１ゴムクッションを備え、
前記フレームは、このフレームに載置された前記液晶表示パネルの表示領域を囲むようにして固着された第２ゴムクッションを備え、
前記液晶表示パネルは、前記第１ゴムクッションおよび前記第２ゴムクッションを介して前記フレームに載置されるとともに、
前記第１ゴムクッションと前記第２ゴムクッションは、平面的に観て、重なることなく隣接して配置されていることを特徴とする。
【００１３】
（２）本発明の液晶表示装置は、（１）において、バックライトを配置させる下フレームと、前記バックライトと前記液晶表示パネルとの間に配置される中フレームと、前記液晶表示パネルの前記表示領域を露出させて配置される上フレームとを備え、
前記液晶表示パネルを載置させる前記フレームは前記中フレームとなっていることを特徴する。
【００１４】
（３）本発明の液晶表示装置は、（１）において、前記第１ゴムクッションおよび前記第２ゴムクッションは、それぞれ、複数の直線状のゴムクッションを液晶表示パネルの表示領域の周方向に並設させて構成されていることを特徴とする。
【００１５】
（４）本発明の液晶表示装置は、（１）ないし（３）のいずれかにおいて、前記第１ゴムクッションおよび前記第２ゴムクッションは、それぞれ、シリコンゴムで構成されていることを特徴とする。
【００１６】
（５）本発明の液晶表示装置は、液晶表示パネルとこの液晶表示パネルを載置させるフレームを備える液晶表示装置であって、
前記液晶表示パネルは、その表示領域の外側に前記表示領域を囲むようにして固着された第１クッションを備え、
前記フレームは、このフレームに載置された前記液晶表示パネルの表示領域を囲むようにして固着された第２クッションを備え、
前記液晶表示パネルは、前記第１クッションおよび前記第２クッションを介して前記フレームに載置されるとともに、
第１クッションと前記第２クッションは、一方のクッションが他方のクッションよりも柔らかい部材で構成され、
前記第１クッションと前記第２クッションは、平面的に観て、一部重畳して配置されていることを特徴とする。
【００１７】
（６）本発明の液晶表示装置は、（５）において、バックライトを配置させる下フレームと、前記バックライトと前記液晶表示パネルとの間に配置される中フレームと、前記液晶表示パネルの前記表示領域を露出させて配置される上フレームとを備え、
前記液晶表示パネルを載置させる前記フレームは前記中フレームとなっていることを特徴する。
【００１８】
（７）本発明の液晶表示装置は、（５）において、前記第１クッションおよび前記第２クッションは、それぞれ、複数の直線状のクッションを液晶表示パネルの表示領域の周方向に並設させて構成されていることを特徴とする。
【００１９】
（８）本発明の液晶表示装置は、（５）ないし（７）のいずれかにおいて、前記第１クッションおよび前記第２クッションは、その一方がシリコンゴムから構成され、他方がスポンジで構成されていることを特徴とする。
【００２０】
（９）本発明の液晶表示装置は、（５）ないし（８）のいずれかにおいて、前記一方のクッションの幅は前記他方のクッションの幅よりも大きく、平面的に見て、前記他方のクッションの全域が前記一方のクッションと重畳して配置されていることを特徴とする。
【００２１】
なお、上記した構成はあくまで一例であり、本発明は、技術思想を逸脱しない範囲内で適宜変更が可能である。また、上記した構成以外の本発明の構成の例は、本願明細書全体の記載または図面から明らかにされる。
【発明の効果】
【００２２】
このように構成した液晶表示装置は、塵埃（異物）が、液晶表示パネルとこの液晶表示パネルを載置するフレームとの間を通して、液晶表示パネルの背面に浸入してしまうのを信頼性よく防止できるようになる。
【００２３】
本発明のその他の効果については、明細書全体の記載から明らかにされる。
【図面の簡単な説明】
【００２４】
【図１】図２の点線枠αを拡大して示した図である。
【図２】本発明の液晶表示装置の実施例１の全体を示した概略断面図である。
【図３】本発明の実施例１に示す液晶表示パネルを示した平面図である。
【図４】本発明の実施例１に示す中フレームを示した平面図である。
【図５】本発明の実施例１に示す液晶表示パネルと中フレームに形成される第１ゴムクッションとの位置的関係を説明する図である。
【図６】本発明の液晶表示装置の実施例３を示した断面図である。
【図７】本発明の液晶表示装置の実施例４を示した断面図である。
【図８】従来の液晶表示装置の例を示した断面図である。
【発明を実施するための形態】
【００２５】
本発明の実施例を図面を参照しながら説明する。なお、各図および各実施例において、同一または類似の構成要素には同じ符号を付し、説明を省略する。
【実施例１】
【００２６】
図２は、本発明の液晶表示装置の実施例１の断面を示す図である。
【００２７】
図２において、まず、下フレームＤＦＲがあり、この下フレームＤＦＲにはバックライトＢＬが配置されるようになっている。下フレームＤＦＲは、たとえばステンレスから構成され、バックライトＢＬを収納できる箱状をなしている。バックライトＢＬは、導光板ＣＬＢと、この導光板ＣＬＢの側壁面に配置されるたとえば冷陰極線管ＬＴと、この冷陰極線管ＬＴからの光を導光板ＣＬＢの側壁面側に導く反射板ＲＥＢと、前記導光板ＣＬＢの背面に配置される反射シートＲＥＳとから構成されている。このように構成されたバックライトＢＬは、冷陰極線管ＬＴの光が導光板ＣＬＢの後述する液晶表示パネルＰＮＬと対向する表面（図中符号ＳＦで示す）から出射される面光源として機能するようになる。また、導光板ＣＬＢの前記表面ＳＦにはたとえばプリズムシート等の光学シートＯＰＳが配置され、この光学シートＯＰＳによって、たとえば導光板ＣＬＢからの出射光の視野角等を設定するようになっている。
【００２８】
そして、中フレームＭＦＲが下フレームＤＦＲ上に該下フレームＤＦＲに係止されて配置されている。この中フレームＭＦＲは、たとえば樹脂からなり、周辺を除く中央に開口ＯＰを有する枠体として形成されている。中フレームＭＦＲの開口ＯＰは、バックライトＢＬからの光を後述の液晶表示パネルＰＮＬに導くために設けられる。中フレームＭＦＲの開口ＯＰの周辺は、光学シートＯＰＳの周辺に重なるようにして形成され、この周辺部によって、該光学シートＯＰＳをバックライトＢＯＬ側に密接して配置できるようになっている。中フレームＭＦＲには、液晶表示パネルＰＮＬが配置されるようになっている。液晶表示パネルＰＮＬは、その周辺が中フレームＭＦＲの開口ＯＰの周辺と対向するように配置され、これにより、液晶表示パネルＰＮＬの表示領域ＡＲは中フレームＭＦＲの前記開口ＯＰ上に位置づけられるようになっている。
【００２９】
液晶表示パネルＰＮＬは、液晶（図示せず）を挟持して対向配置されるたとえばガラスからなる基板ＳＵＢ１、ＳＵＢ２を外囲器として形成され、平面的に観て、その周辺を除く中央部を表示領域ＡＲとして構成されている（図３参照）。表示領域ＡＲにおける基板ＳＵＢ１、ＳＵＢ２の液晶側の面にはマトリックス状に配置された多数の画素が形成されている。また、基板ＳＵＢ１、ＳＵＢ２の液晶と反対側の面には、それぞれ、少なくとも表示領域ＡＲを被うようにして偏光板ＰＯＬ１、ＰＯＬ２が配置されている。
【００３０】
なお、この実施例１では、液晶表示パネルＰＮＬは、その表示領域ＡＲの外側において、第１ゴムクッションＧＣ１と第２ゴムクッションＧＣ２を介して、中フレームＭＦＲ上に載置された構成になっている。この第１ゴムクッションＧＣ１と第２ゴムクッションＧＣ２の詳細については図１を用いて後述する。
【００３１】
さらに、上フレームＵＦＲが中フレームＭＦＲ上に該中フレームＭＦＲに係止されて配置されている。この上フレームＵＦＬは、たとえばステンレスで構成され、液晶表示パネルＰＮＬの表示領域ＡＲを露出させる窓（開口）ＷＤが設けられている。上フレームＵＦＲの窓ＷＤの周辺であって液晶表示パネルＰＮＬ側の面にはゴムクッションＧＣが固着されている。このゴムクッションＧＣは液晶表示パネルＰＮＬに当接するようにして形成され、該液晶表示パネルＰＮＬを中フレームＭＦＲ側に密接して配置できるようになっている。
【００３２】
図１は、図２の点線枠α内を拡大して示した図である。図１において、中フレームＭＦＲの液晶表示パネルＰＮＬが載置される面にはたとえばシリコンゴムからなる第１ゴムクッションＧＣ１が固定されて形成されている。この第１ゴムクッションＧＣ１は、後の説明でも明らかとなるが、液晶表示パネルＰＮＬの表示領域ＡＲを囲むようにして形成されている。
【００３３】
液晶表示パネルＰＮＬは、その周囲において、中フレームＭＦＲと対向する面にたとえばシリコンゴムからなる第２ゴムクッションＧＣ２が固定されて形成されている。この第２ゴムクッションＧＣ２は、後に説明でも明らかとなるが、液晶表示パネルＰＮＬの表示領域ＡＲを囲むようにして形成されている。この場合、第１ゴムクッションＧＣ１は、第２ゴムクッションＧＣ２の高さと等しい高さであっても、あるいは第２ゴムクッションＧＣ２と若干の高低差があってもかまわない。いずれの場合も、液晶表示パネルＰＮＬは、第１ゴムクッションＧＣ１、第２ゴムクッションＧＣ２のうち少なくとも一方を介して中フレームＭＦＲ上に載置されるようになるからである。
【００３４】
この実施例１の場合、第１ゴムクッションＧＣ１と第２ゴムクッションＧＣ２と互いに重なりをもつことなく隣接して配置されるようになっている。すなわち、図３は、液晶表示パネルＰＮＬを観察側の面（バックライトＢＬと反対側の面）から観た平面図を示している。液晶表示パネルＰＮＬの観察者の面には、基板ＳＵＢ１、ＳＵＢ２からなる外囲器の周囲を除く中央部の表示領域ＡＲに偏光板ＰＯＬ２が配置されている。そして、この液晶表示パネルＰＮＬの裏面の周囲には、線状からなるたとえば４個のゴムクッション（図中ＧＣ２ａ、ＧＣ２ｂ、ＧＣ２ｃ、ＧＣ２ｄで示す）からなる第２ゴムクッションＧＣ２が固着されている。ゴムクッションＧＣ２ａ、ＧＣ２ｂ、ＧＣ２ｃ、ＧＣ２ｄは、それぞれ、表示領域ＡＲの各辺の外側に位置づけられて配置され、表示領域ＡＲの角部において僅かな距離の分離部を有するも、表示領域ＡＲを囲むようにして固着されている。また、図４は、中フレームＭＦＲを液晶表示パネルＰＮＬの載置面から見た平面図を示し、中フレームＭＦＲは、その周辺を除く中央部に開口ＯＰを有する枠体として構成されている。そして、中フレームＦＲの開口ＯＰの周囲に線状からなるたとえば４個のゴムクッション（図中ＧＣ１ａ、ＧＣ１ｂ、ＧＣ１ｃ、ＧＣ１ｄで示す）からなる第１ゴムクッションＧＣ１が固着されている。ゴムクッションＧＣ１ａ、ＧＣ１ｂ、ＧＣ１ｃ、ＧＣ１ｄは、中フレームＭＦＲに載置される液晶表示パネルＰＮＬ（図中点線で示す）の表示領域ＡＲの各辺の外側に位置づけられて配置され、表示領域ＡＲの角部において僅かな距離の分離部を有するも、表示領域ＡＲを囲むようにして固着されている。この場合、図５は、中フレームＭＦＲ上に載置された液晶表示パネルＰＮＬに対し前記第１ゴムクッションＧＣ１が配置される箇所を示した図である。図５から明らかとなるように、第２ゴムクッションＧＣ２は、液晶表示パネルＰＮＬの第１ゴムクッションＧＣ１と重なりをもつことなく隣接して配置されるようになっている。
【００３５】
このように構成した場合、図１に示すように、液晶表示パネルＰＮＬと第１ゴムクッションＧＣ１の間に隙間（図中符号ＧＰｉで示す）が生じた場合、この隙間ＧＰｉは、ゴムクッションＧＣ１と第２ゴムクッションＧＣ２との間の隙間（図中符号ＧＰｍで示す）に連結されることになる。そして、たとえ、中フレームＭＦＲと第２ゴムクッションＧＣ２との間に隙間（図中符号ＪＰｏで示す）が生じていても、液晶表示パネルＰＮＬの裏面側に至る連続された隙間ＧＰｉ、ＧＰｍ、ＧＰｏは、隙間ＧＰｉおよび隙間ＧＰｏに対して屈曲された経路となる隙間ＧＰｍを介在させて形成されることになる。このことは、たとえ隙間ＧＰｉを通過できた塵埃は、隙間ＧＰｍの存在によって、隙間ＧＰｏ側へ侵入することが極めて困難となることになる。これにより、液晶表示パネルＰＮＬを中フレームＭＦＲに機械的に固定しない状態であっても、中フレームＭＦＲと液晶表示パネルＰＮＬの間において塵埃の通過を困難とする構成にできる。なお、液晶表示パネルＰＮＬに反りが発生した場合、通常、液晶表示パネルＰＮＬと第１ゴムクッションＧＣ１との隙間ＧＰｉと、中フレームＭＦＲと第２ゴムクッションＧＣ２との隙間ＪＰｏが同時に発生することは希となり、液晶表示パネルＰＮＬの裏面側に至る連続された隙間は発生し難い構成となる。
【実施例２】
【００３６】
実施例１では、平面的に観て、液晶表示パネルＰＮＬ側に設けた第２ゴムクッションＧＣ２は、中フレームＭＦＲ側に設けた第１ゴムクッションＧＣ１よりも内側に配置されるようにしたものである。しかし、これに限定されることはなく、中フレームＭＦＲ側に設けた第１ゴムクッションＧＣ１を、液晶表示パネルＰＮＬ側に設けた第２ゴムクッションＧＣ２よりも内側に配置させるようにしてもよい。さらには、第２ゴムクッションＧＣ２を構成する複数のゴムクッションを、それぞれ、第１ゴムクッションＧＣ２を構成する複数のゴムクッションであって隣接するゴムクッションに対し、内側あるいは外側に任意に配置させるようにしてもよい。
【実施例３】
【００３７】
図６は、本発明の液晶表示装置の実施例３を示す構成図で、図１に対応づけて描画している。
【００３８】
図６において、図１と比較して異なる構成は、まず、中フレームＭＦＲに固着される第１クッションＣＳＨ１と、液晶表示パネルＰＮＬに固着される第２クッションＣＳＨ２にある。第２クッションＣＳＨ２はたとえばシリコンゴムで構成され、第１クッションＣＳＨ１は第２クッションＣＳＨ２よりも柔らかい部材で構成され、たとえばスポンジ等からなっている。そして、第２クッションＣＳＨ２に対して第１クッションＣＳＨ１は比較的幅が大きく形成され、第１クッションＣＳＨ１と第２クッションＣＳＨ２は、第２クッションＣＳＨ１が第１クッションＣＳＨ２の幅方向のほぼ真ん中に重ねられるようにして配置される位置関係で配置されるようになっている。即ち、平面的に見て、第２クッションＣＳＨ２の全域が第１クッションＣＳＨ１と重畳して配置されている。この場合、図６に示すように、第２クッションＣＳＨ２は第１クッションＣＳＨ１内に埋設されるように該第１クッションＣＳＨ１が変形されることになる。上述したように、第１クッションＣＳＨ１は第２クッションＣＳＨ２よりも柔らかい部材で構成されているからである。
【００３９】
このようにした場合、第１クッションＣＳＨ１と第２クッションＣＳＨ２の接触面は、図６から明らかとなるように、たとえば液晶表示パネルＰＮＬの基板ＳＵＢと平行な面とともに該面に対して屈曲された面を有することになる。たとえばスポンジ等からなる第１クッションＣＳＨ１は、それが新しいうちは弾力を有しており、第２クッションＣＳＨ２との接触面に隙間が生じにくく、塵埃の侵入に対して信頼ある防止ができる。しかし、第１クッションＣＳＨ１に経時的な劣化がすすむと、変形し難くなり、第２クッションＣＳＨ２との間に隙間が生じ易くなる。この場合、この隙間から塵埃が侵入してきても、当該隙間に対して屈曲された隙間も形成されることから、この屈曲された隙間によって、塵埃は液晶表示パネルＰＮＬの裏面側にまで至るのを阻止されるようになる。すなわち、この実施例３における第１クッションＣＳＨ１は、実施例１で用いた第１ゴムクッションＧＣ１と同様の機能を有するようになる。このため、実施例３に示した構成によっても、実施例１と同様の効果が得られるようになる。
【００４０】
なお、第１クッションＣＳＨ１、第２クッションＣＳＨ２は、それぞれ、液晶表示パネルＰＮＬの表示領域ＡＲを囲むようにして形成されることは、実施例１で示した通りである。
【実施例４】
【００４１】
図７は、本発明の液晶表示装置の実施例４を示す構成図で、図６に対応づけて描画している。
【００４２】
図７において、図６と比較した場合に異なる構成は、中フレームＭＦＲに固着させた第１クッションＣＳＨ１にある。この第１クッションＣＳＨ１は、たとえば、液晶表示パネルＰＮＬ側の辺において、液晶表示パネルＰＮＬに固着された第２クッションＣＳＨ２が重ねられ、液晶表示パネルＰＮＬと反対側の辺において、前記第２クッションＣＳＨ２が重ねられていないようになっている。すなわち、第１クッションＣＳＨ１と第２クッションＣＳＨ２との重ね合わせは、平面的に観て、幅方向に一部重畳して配置されていればよい。
【００４３】
このようにした場合でも、実施例３に示したと同様に、第１クッションＣＳＨ１と第２クッションＣＳＨ２の隙間から塵埃が侵入してきても、当該隙間に対して屈曲された隙間も形成されることから、この屈曲された隙間によって、塵埃は、液晶表示パネルＰＮＬの裏面側にまで至るのを阻止されるようになる。
【実施例５】
【００４４】
実施例３、実施例４では、いずれも、液晶表示パネルＰＮＬに固着させた第２クッションＣＳＨ２をシリコンゴム、中フレームＭＦＲに固着された第１クッションＣＳＨ１をシリコンゴムよりも柔らかい部材で構成したものである。しかし、これに限らず、第１クッションＣＳＨ１をシリコンゴム、第２クッションＣＳＨ２をシリコンゴムよりも柔らかい部材で構成するようにしてもよい。
【実施例６】
【００４５】
実施例１ないし実施例５では、それぞれ、液晶表示装置のバックライトＢＬとして、導光板を用いたものを示したものである。しかし、これに限定されることはない。たとえば液晶表示パネルと対向する面内に複数の冷陰極線管あるいは発光ダイオードを並設させたいわゆる直下型と称するバックライトであってもよい。
【００４６】
以上、本発明を実施例を用いて説明してきたが、これまでの各実施例で説明した構成はあくまで一例であり、本発明は、技術思想を逸脱しない範囲内で適宜変更が可能である。また、それぞれの実施例で説明した構成は、互いに矛盾しない限り、組み合わせて用いてもよい。
【符号の説明】
【００４７】
ＤＦＲ……下フレーム、ＢＬ……バックライト、ＬＴ……冷陰極線管、ＣＬＢ……導光板、ＲＥＢ……反射板、ＲＥＳ……反射シート、ＯＰＳ……光学シート、ＭＦＲ……中フレーム、ＯＰ……開口、ＧＣ１……第１ゴムクッション、ＰＮＬ……液晶表示パネルＰＮＬ、ＧＣ２……第２ゴムクッション、ＳＵＢ１、ＳＵＢ２……基板、ＡＲ……表示領域、ＰＯＬ１、ＰＯＬ２……偏光板、ＵＦＲ……上フレーム、ＷＤ……窓（開口）ＧＰｉ、ＧＰｍ、ＧＰｏ……隙間、ＣＳＨ１……第１クッション、ＣＳＨ２……第２クッション。
【図１】
2011033909.tif 000003
【図２】
2011033909.tif 000004
【図３】
2011033909.tif 000005
【図４】
2011033909.tif 000006
【図５】
2011033909.tif 000007
【図６】
2011033909.tif 000008
【図７】
2011033909.tif 000009
【図８】
2011033909.tif 000010